(57)【要約】【課題】  トランスポートストリームを通常の再生速度とは異なる速度でダウンロードし、蓄積を行う受信機において、通常の速度で再生する場合の再生タイミングを示すタイムスタンプを付与することを目的とする。【解決手段】  トランスポートストリームを通常の再生速度とは異なる伝送速度で受信して蓄積する場合に、受信するトランスポートストリームの速度比に基づいて、これを通常の速度で再生するための再生タイミングを示すタイムスタンプを算出し、それを付与したタイムスタンプ付きトランスポートストリームとして蓄積を行う受信機とした。【選択図】  図１
2008061150.tif 000002
【特許請求の範囲】
【請求項１】
複数のパケットから構成されるトランスポートストリームを受信するチューナと、
前記チューナにより受信された前記トランスポートストリームを復調する復調部と、
前記復調部により復調されたトランスポートストリームを記録する蓄積部と、
前記蓄積部への記録を制御する蓄積制御部とを備え、
前記蓄積制御部は、前記パケットの通常再生速度を示す第１の伝送速度とは異なる第２の伝送速度で前記トランスポートストリームを受信した場合に、前記パケットを取得した時刻情報と、前記トランスポートストリーム内の所定のパケットに含まれる再生タイミングを示す時刻情報と、前記所定のパケットの到着時刻情報とに基づいて前記受信したトランスポートストリームを構成するパケットのそれぞれに前記第１の伝送速度で再生する場合の再生タイミングを示すタイムスタンプを付加して蓄積するよう前記蓄積部を制御することを特徴とする受信機。
【請求項２】
請求項１記載の受信機において、
前記復調部により復調されたトランスポートストリームを所定のパケットごとに分離する分離部と、
前記タイムスタンプを用いて前記分離部から分離された所定のパケットをデコードするデコーダと、
前記デコーダによりデコードされたパケットを前記第１の速度で出力する出力部とを備えることを特徴とする受信機。
【請求項３】
請求項１記載の受信機において、
前記蓄積制御部は、トランスポートストリームの所定のパケットに含まれるＰＣＲ情報と所定のパケットが受信機に到着した到着時刻情報とを用いて速度比を算出し、前記速度比を用いてタイムスタンプ値を求めることを特徴とする受信機。
【請求項４】
請求項３記載の受信機において、
前記蓄積制御部は、前記速度比を算出する場合に、第１のＰＣＲ情報と第２のＰＣＲ情報と差分で計算される第１の差分と、第１の到着時刻情報と第２の到着時刻情報の差分で計算される第２の差分を用いて速度比を算出することを特徴とする受信機。
【請求項５】
請求項１に記載の受信機において、
前記トランスポートストリームを通信ネットワークを介して受信する構成にすることを特徴とする受信機。
【請求項６】
請求項１に記載の受信機において、
前記蓄積されたデータをネットワーク経由で他の機器に第１の伝送速度で送出する外部ポートを備えることを特徴とする受信機。
【請求項７】
コンテンツを構成する映像や音声のデータがパケット化され、それらの複数のパケットで構成されたトランスポートストリームを受信する受信部とそのトランスポートストリームのデータを記録することができる蓄積部を有し、そのトランスポートストリームを、当該コンテンツを通常の速度で再生する場合の第１の伝送速度と異なる第２の伝送速度で放送波から受信し、このトランスポートストリームを構成するパケットデータを抽出して蓄積することができる受信機であって、
前記トランスポートストリームの各パケットが受信機に到着した時刻情報と、それに加えて、前記トランスポートストリームに周期的に挿入された、所定の複数のパケットに記録されている再生タイミングを示す時刻情報と、前記所定の複数のパケットの到着時刻情報とに基づいて、前記受信したトランスポートストリームを形成するパケットのそれぞれに、前記第１の伝送速度で再生する場合の再生タイミングを示すタイムスタンプを付与して、タイムスタンプ付きパケットとして蓄積することを特徴とする受信機。
【請求項８】
請求項７記載の受信機において、
前記トランスポートストリームに周期的に挿入された、前記所定パケットの一つに記録された再生タイミングを示す時刻情報と、当該所定パケットが受信機に到着した時刻情報と、当該所定パケットの一つ前の所定パケットに記録された時刻情報と受信機に到着した時刻情報から求められる第１の伝送速度と第２の伝送速度の比率と、トランスポートストリームの各パケットの到着時刻情報とから、当該トランスポートストリームのパケットに対するタイムスタンプの時刻情報を生成することを特徴とする受信機。
【請求項９】
請求項８記載の受信機において、
前記トランスポートストリームに周期的に挿入された前記所定のパケットが到着した時点で、前記所定のパケットに記録された再生タイミングを示す時刻情報により前記算出したタイムスタンプの時刻情報の誤差を補正することを特徴とする受信機。
【請求項１０】
請求項７記載の受信機において、
前記トランスポートストリームを通信ネットワークから受信するネットワーク受信部を有することを特徴とする受信機。
【請求項１１】
請求項７記載の受信機において、
前記蓄積されたコンテンツを映像又は音声として第１の伝送速度で再生する再生部を有することを特徴とする受信機。
【請求項１２】
請求項７記載の受信機において、
前記蓄積されたコンテンツデータをネットワーク経由で他の機器に第１の伝送速度で送信する外部ポート部を有することを特徴とする受信機。
【請求項１３】
複数のパケットからなるストリームを通常再生速度を示す第１の伝送速度とは異なる第２の伝送速度で受信する場合の情報処理方法において、
前記受信された前記ストリームを復調し、前記パケットを取得した時刻情報と、前記ストリーム内の所定のパケットに含まれる再生タイミングを示す時刻情報と、前記所定のパケットの到着時刻情報とに基づいて前記受信したトランスポートストリームを構成するパケットのそれぞれに前記第１の伝送速度で再生する場合の再生タイミングを示すタイムスタンプを付加して蓄積することを特徴とする情報処理方法。
【請求項１４】
請求項１３記載の情報処理方法において、
前記蓄積されたストリームを前記第１の速度で再生することを特徴とする情報処理方法。
【請求項１５】
請求項１３記載の情報処理方法において、
前記トランスポートストリームの所定のパケットに含まれるＰＣＲ情報と所定のパケットが受信機に到着した到着時刻情報とを用いて速度比を算出し、前記速度比を用いてタイムスタンプ値を求めることを特徴とする情報処理方法。
【請求項１６】
請求項１５記載の情報処理方法において、
前記速度比を算出する場合に、第１のＰＣＲ情報と第２のＰＣＲ情報と差分で計算される第１の差分と、第１の到着時刻情報と第２の到着時刻情報の差分で計算される第２の差分を用いて速度比を算出することを特徴とする情報処理方法。
【発明の詳細な説明】
【技術分野】
【０００１】
本発明は、映像、音声等のデジタルコンテンツデータを利用する受信機及び情報処理方法に関する。
【背景技術】
【０００２】
近年、衛星や地上波によるデジタル放送が一般的に普及してきており、データ放送も使用されている。また広帯域になった家庭の通信ネットワークを通してストリーミングによる映像、音声等デジタルコンテンツデータの伝送が使用されるようになってきている。
【０００３】
これらのサービスでは一般的に、映像や音声のコンテンツはＭＰＥＧ方式により圧縮され、ＭＰＥＧのトランスポートストリームの形式でリアルタイムに伝送されており、受信機ではトランスポートストリームに周期的に挿入された、再生タイミングを示す時刻情報を記録したＰＣＲパケットにより、デコーダのクロックの発振周波数を調節することで送信側と同期をとった再生を実現している。
【０００４】
また受信機に蓄積機能があり、リアルタイムで受信したトランスポートストリームを蓄積して、後で再生する場合には、トランスポートストリームの各パケットに、再生タイミングを示すタイムスタンプを付けて蓄積することで、再生時には蓄積装置から読み出し、そのタイムスタンプに合わせてデコーダに送出して、正常な速度での再生を実現することが一般的に行われている。
【０００５】
特許文献１には、コンテンツのデータを放送の仕組みを利用して、通常の再生速度とは異なる速度で伝送し、受信機に蓄積して利用するシステムの例が記載されている。
【０００６】
ここでは通常の再生速度と異なる速度で放送されたトランスポートストリームを受信し、通常の再生速度のタイミングを示すタイムスタンプを各パケットに付与して、タイムスタンプ付きトランスポートストリームとして蓄積するシステムの例が記載されている。
【０００７】
【特許文献１】特開２００２−１６５６１号公報
【発明の開示】
【発明が解決しようとする課題】
【０００８】
しかしながら、上記特許文献１では、放送局等の送出側からの送出時に通常再生速度との速度比を表すデータを記録した独自仕様のパケットをトランスポートストリームに付加する必要があり、そうした送出側の変更に伴って受信側もそのシステムに適合させる必要が生じ、結果としてシステム全体が複雑化しコストＵＰの要因ともなるおそれがある。
【０００９】
送出側の処理を上記特許文献１のように変更することはコスト的にも設備的にも、あるいは組織的にも大掛かりになってしまうため、できれば送出側の処理を既存の技術のままにしておき、通常の再生速度とは異なる速度で伝送される場合においても、受信側の方で適切な処理を行える構成することが望ましい。
【００１０】
ところが、上記特許文献１では、送信側で送信されるトランスポートストリームを工夫することについて着目されているが、あくまで送信側について言及されているのみであり、例えばデジタル放送等で用いられる通常のトランスポートストリームをそのまま使用して高速又は低速に伝送される場合の受信側の処理については考慮されていなかった。
【課題を解決するための手段】
【００１１】
上記課題を解決するために、本願において開示される発明のうち、代表的なものの概要を簡単に説明すれば、次の通りである。
例えば、映像や音声をパケット化したトランスポートストリームを、通常の再生速度とは異なる伝送速度で、高速または低速で放送波にて送出した場合、これを受信して蓄積し、再生を行う受信機において、これを通常の速度で再生するための再生タイミングを示すタイムスタンプを、受信したトランスポートストリームの各パケットが受信機に到着した時刻情報と、同じトランスポートストリームに周期的に挿入されている、所定の複数パケットに記録された再生タイミングを示す時刻情報と、それらの所定の複数パケットが受信機に到着した時の時刻情報とを用いて生成し、トランスポートストリームを形成するパケットに付加して蓄積を行っている。
【発明の効果】
【００１２】
本発明によれば、コンテンツの通常再生時のビットレートとは異なる、高速又は低速の伝送速度でダウンロードされるようなトランスポートストリームの再生を容易に行うことができる。
【発明を実施するための最良の形態】
【００１３】
以下に本発明の実施の形態を説明する。
【実施例１】
【００１４】
先ず、本発明の実施の形態である実施例１の受信機の基本的概念について説明する。図５は、本実施例で想定する受信機の一般的な構成を示す。
【００１５】
放送の信号はチューナ５０に入力され、復調部５１にてトランスポートストリームとなり、デスクランブラ部５２で暗号が解除される。ストリームを蓄積する場合は蓄積制御部５７によりタイムスタンプを付与する等の処理を行い、蓄積部５８に記録される。再生時には蓄積部５８から取り出された信号が、蓄積制御部５７により通常のトランスポートストリームとなって、多重分離部５３から映像音声のデコーダ５４に入力されてデコードされ、表示装置５５、スピーカ５６から映像音声として出力される。ＣＰＵ５９は、図面の見易さのため上記各ブロックと線で接続させていないが、上記各ブロックと接続しており、上記各ブロックの制御を行う。図１は、実施例１における受信機に必要な機能のブロック図を示すものである。
【００１６】
受信機は、受信部１と、タイムスタンプ付与部２と、第１クロック３と、蓄積部４と、タイムスタンプ抽出部５と、送出部６と、第２クロック７と、デコーダ８と、出力装置９と、外部ポート１４から構成される。
【００１７】
なお、ここで、図１の受信部１は図５のチューナ５１及び復調部５２に対応し、出力装置９は図５の表示装置５５及びスピーカ５６に対応し、各々ハードウエアなどで構成したり、ワンチップに集約される。また、到着時刻取得部１０と、ＰＣＲ抽出部１１と、ＰＣＲ時刻情報抽出部１２と、速度比算出部１３、及び、タイムスタンプ抽出部５と、送出部６、及び第１クロック３と、第２クロック７は、図５の蓄積制御部５７に対応し、これもハードウエアで構成したり、全体としてワンチップなどのハードウエアに集約される場合がある。蓄積部４は、例えばＨＤＤ（Hard Disk Drive）などのハードウェアで構成される。
【００１８】
また、タイムスタンプを付与する機能として、到着時刻取得部１０と、ＰＣＲ抽出部１１と、ＰＣＲ時刻情報抽出部１２と、速度比算出部１３を示す。
【００１９】
実施例１は、映像や音声のデータであるトランスポートストリームが、通常の再生速度とは異なる速度、例えば通常より高速で放送波により伝送されるとし、そのトランスポートストリームを受信後一旦蓄積部に蓄積して、再生時には蓄積部より読み出して通常の速度で再生することができる装置である。
【００２０】
使用するサービスの例としては、高速ダウンロードができる映画のタイトル名とその提供開始時刻表が提供され、それを予約することで、通常の1/2〜1/5程度の時間でダウンロードでき、好きなときに通常の速度で再生できる等が考えられる。
【００２１】
以下に全体の動作を説明すると、映像や音声のデータであるトランスポートストリームを、通常より高速にのせた放送波がチューナや復調部からなる受信部１に入力され、通常より高速なトランスポートストリームとして出力される。
【００２２】
トランスポートストリームには映像や音声のデータが各々トランスポートストリームパケットの形で多重化されており、そのトランスポートストリームには、再生時に通常の速度での再生タイミングを示す時刻情報としての、ＰＣＲ（Program Clock Reference、基準時刻信号）が所定の複数のパケットに記録されている。
【００２３】
このＰＣＲは通常の再生速度で伝送された場合に、通常１００ｍｓの間に少なくとも１個が存在するようにトランスポートストリームに周期的に配置され、その再生タイミングを示す時刻情報は２７ＭＨｚの高精度な周波数の基準クロックのカウント値として記録されている。
【００２４】
通常より高速に伝送されたトランスポートストリームは、タイムスタンプ付与部２に入力され、そこでトランスポートストリームを構成する各トランスポートストリームパケットに、通常再生時の再生タイミングを示すタイムスタンプを付与して、蓄積部４に蓄積する。
【００２５】
この時に参照する第１クロック３は通常再生時に基準となる２７ＭＨｚで動作しており、高速で受信したトランスポートストリームのＰＣＲに記録された時刻情報とは速度が異なる。
【００２６】
コンテンツの再生時には、一旦蓄積部４に蓄積されたタイムスタンプ付きトランスポートストリームが読み出され、タイムスタンプ抽出部５により抽出したタイムスタンプの時刻情報と、同じく２７ＭＨｚで動作する第２クロック７のカウント値との比較に基づいて、送出部６により通常再生の速度でデコーダ８に送出され、映像音声等として出力装置９から出力される。
【００２７】
図２は、実施例１で使用されるトランスポートストリームの構成をしめしている。
【００２８】
図２（ａ）は通常の再生速度で伝送されるトランスポートストリームを示しており、  時間軸に沿ってトランスポートストリームパケット１５が伝送され、ＰＣＲが記録された所定のパケットであるＰＣＲパケット１６、が周期的に配置されていることが分かる。
【００２９】
図２（ｂ）は通常より高速に伝送されたトランスポートストリームを示しており、各パケットが時間軸上で通常速度の（ａ）より高速に伝送されていることが分かる。
【００３０】
図２（ｃ）は図２（ｂ）のトランスポートストリームの各パケットに、タイムスタンプ１７を付与したタイムスタンプ付きトランスポートストリームを示し、この形で蓄積部に蓄積される。
【００３１】
さて次に、図１においてタイムスタンプを付与する動作について説明すると、タイムスタンプ付与部２においては、通常の再生速度とは異なる速度、例えば通常より高速で受信部１より受信したトランスポートストリームのパケットに、通常再生時に使用できるタイムスタンプを付与する必要がある。
【００３２】
受信部１から出力されたトランスポートストリームはトランスポートストリームパケットからなり、前述のようにその中の所定の複数のパケットにはＰＣＲの時刻情報が記録されている。
【００３３】
各々のトランスポートストリームパケットは到着時刻取得部１０において、パケットが到着した時刻における第１クロック３のカウント値が取得される。
【００３４】
また、そのパケットにＰＣＲの時刻情報が含まれる場合には、ＰＣＲ抽出部１１で検出され、ＰＣＲ時刻情報抽出部１２においてＰＣＲに記録された時刻情報、これはデータのエンコード時に基準の２７ＭＨｚのクロックのカウント値として付けられているもの、を抽出する。
【００３５】
ここで、第１のＰＣＲ情報を含む第１のＰＣＲパケットと、その次に来る第２のＰＣＲ情報を含む第２のＰＣＲパケットを受信し、速度比算出部１３において、通常再生時の時刻情報であるＰＣＲ時刻情報の差分と、高速に受信した同じＰＣＲパケットの到着時刻情報の差分を比較することで、実際の伝送速度と通常再生速度との速度比を算出する。
【００３６】
トランスポートストリームの各パケットは、タイムスタンプ付与部２において、到着時刻取得部１０にて取得された到着時刻を示すカウント値が、１パケット毎に変化する増加分に、速度比算出部１３で直前の２つのＰＣＲパケットから算出した速度比を掛け合わせたものを新たな増加分として、一つ前のパケットのタイムスタンプ値に加えることで、各パケットが通常再生時にあるべき時刻情報を算出することができ、これをタイムスタンプとして付与したタイムスタンプ付きトランスポートストリームとして出力して、蓄積部４に蓄積する。
【００３７】
以上により通常の再生速度とは異なる速度で伝送されたトランスポートストリームに、通常再生時に使用できるタイムスタンプを付与して蓄積することができる。
【００３８】
以上の経過を具体的な例で説明すると、下記の通り。
【００３９】
（１）２つのＰＣＲパケットの到着時刻を取得し、到着時刻差を算出。（例：１００）
（２）各ＰＣＲパケットに記録のＰＣＲ値を取得し、差を算出。（例：２００）
（３）ＰＣＲ値差を到着時刻差で割って速度比を算出する。（例：２．０）
（４）それ以降のトランスポートパケットの到着時刻の増加分を取得（例：１０）
（５）到着時刻増加分に速度比を掛けてタイムスタンプ値の増加分を算出（例：２０）
（６）前パケットのタイムスタンプ値＋上記増加分でタイムスタンプ値を算出。
【００４０】
（７）その値によりタイムスタンプをパケットに付与して蓄積部に蓄積する。
【００４１】
図３は実施例１でのタイムスタンプの算出方法を示し、図中の斜めの線上に、トランスポートストリームパケット１５が点にて示されており、その中に含まれるＰＣＲパケット１６が、ＰＣＲ第１パケットからＰＣＲ第３パケットで示されている。
【００４２】
横軸にはＰＣＲパケットを含む、トランスポートストリームの各パケットの到着時刻を、図１の第１クロック３のカウント値で示し、縦軸はその各々のトランスポートストリームパケットに付与するべき、通常再生速度での時刻情報を示すタイムスタンプの値であるカウント値を示す。
【００４３】
ここでＰＣＲ第１パケットとＰＣＲ第２パケットの到着時刻であるＡ１０とＡ２０と、ＰＣＲ第１パケット、ＰＣＲ第２パケットに記録されている各々の時刻情報であるＴＰ１とＴＰ２から、実際の伝送の速度比Ｍは下記の式で表される。ここではカウント値等に桁上がりが無い場合を示している。
ＴＰ２  −  ＴＰ１
2008061150.tif 000003
Ａ２０  −  Ａ１０
この速度比Ｍを利用して、ＰＣＲ第２パケットからＰＣＲ第３パケットの間のトランスポートストリームパケットの各々にタイムスタンプを付ける場合、その値は、Ｔ２２の例を取ると、一つ前のパケットの値Ｔ２１を利用して、
Ｔ２２  ＝  Ｔ２１  ＋  （Ａ２２  −  Ａ２１）×  Ｍ
で表すことができ、これを利用してタイムスタンプを付けることができる。
【実施例２】
【００４４】
次に、本発明の実施例２について説明する。前述のように、図３において縦軸のタイムスタンプ値は、横軸のパケット到着時刻と直前の２つのＰＣＲから求めた速度比Ｍから算出するが、計算の繰り返しや伝送速度の変化、送信側や受信側で参照するクロックの偏差等により、累積誤差が発生する可能性がある。
【００４５】
この場合、例えばＰＣＲ第２パケットが到着した場合に、タイムスタンプ値としてＴ２０が計算で求められるが、このパケットの本来の再生時の時刻情報であるＰＣＲ第２パケットに記録された時刻情報のＴＰ２と誤差が生じるおそれがあり、この場合、このＴ２０をＴＰ２の値に置き換えることで、誤差を補正することができる。
【００４６】
図４は実施例２の動作を示すフローチャートである。トランスポートストリームが入力されると、トランスポートストリームのパケットの到着時刻情報を取得し（２０）、実施例１の説明のように到着時刻情報と、その前に算出した速度比からそのパケットに付けるべきタイムスタンプの値を算出する。（２１）
次に、そのパケットがＰＣＲパケットかどうかを確認し（２２）、ＰＣＲパケットで無かった場合、その値によりタイムスタンプを付与して（２６）、蓄積部に蓄積を行う（２７）。
【００４７】
そのパケットがＰＣＲパケットである場合は、そこに記録されたＰＣＲ時刻情報を抽出し（２３）、一つ前のＰＣＲの時刻情報とＰＣＲパケットの到着時刻情報とから速度比を算出する（２４）。
【００４８】
次に、そのＰＣＲパケットに付けるタイムスタンプの値として、（２１）によるタイムスタンプ値の算出値の代わりに、（２３）で取得したＰＣＲ時刻情報と置き換え（２５）、それによりタイムスタンプを付与し（２６）、蓄積する（２７）。
【００４９】
このように毎回ＰＣＲパケットが到着するたびにＰＣＲに記録された値に補正することで、長時間にわたり、誤差の少ないタイムスタンプを付与して蓄積することができる。
【００５０】
また、タイムスタンプ値の算出値とＰＣＲ時刻情報との誤差が、一定以上大きくなったときのみ置き換えることでも補正の目的は達成できる。
【実施例３】
【００５１】
また、前述の実施例１では、放送波を用いて伝送されるトランスポートストリームをチューナ５０等を用いて受信する場合を説明したが、これとは異なり、インターネットなどの通信回線を利用して、通常の再生速度とは異なる速度で伝送されたトランスポートストリームを受信する場合にも、同様の効果があることは明らかである。この場合、受信機は通信回線を受信するための部を設ける。
【００５２】
また、図１において、蓄積部４のデータを再生時に、デコーダ８により映像や音声に変換し、出力装置９にて出力する代わりに、送出部６から通常の再生速度でコンテンツのストリームとして、外部ポート１４を通して他の機器に送出する場合も同様な効果があることは明らかである。
【００５３】
以上の実施例の特徴は、例えば、複数のパケットから構成されるトランスポートストリームを受信するチューナと、前記チューナにより受信された前記トランスポートストリームを復調する復調部と、前記復調部により復調されたトランスポートストリームを記録する蓄積部と、前記蓄積部への記録を制御する蓄積制御部とを備え、前記蓄積制御部は、前記パケットの通常再生速度を示す第１の伝送速度とは異なる第２の伝送速度で前記トランスポートストリームを受信した場合に、前記パケットを取得した時刻情報と、前記トランスポートストリーム内の所定のパケットに含まれる再生タイミングを示す時刻情報と、前記所定のパケットの到着時刻情報とに基づいて前記受信したトランスポートストリームを構成するパケットのそれぞれに前記第１の伝送速度で再生する場合の再生タイミングを示すタイムスタンプを付加することとも表現できる。
【産業上の利用可能性】
【００５４】
本願発明は、例えば、コンテンツのストリームをその通常再生時のビットレートとは異なる伝送速度でダウンロードを行い、一旦蓄積したコンテンツのトランスポートストリームに付加したタイムスタンプにより、容易に通常の速度で再生できる受信機を提供することができ、コンテンツのダウンロードサービスの使い勝手をよくすることができる等の産業上の利用可能性がある。
【図面の簡単な説明】
【００５５】
【図１】本発明のダウンロード型放送受信機の実施例１の構成を示すブロック図。
【図２】実施例１の説明に用いるトランスポートストリームの構成図。
【図３】実施例１における、トランスポートストリームパケットに付与するタイムスタンプの算出方法を示す図。
【図４】実施例２における、ダウンロード型放送受信機の動作を示すフローチャート。
【図５】実施例１の受信機の一般的な構成を示すブロック図。
【符号の説明】
【００５６】
１  受信部、２  タイムスタンプ付与部、３  第１クロック、４  蓄積部、
５  タイムスタンプ抽出部、６  送出部、７  第２クロック、８  デコーダ、
９  出力部、１０  到着時刻取得部、１１  ＰＣＲ抽出部、
１２  ＰＣＲ時刻情報抽出部、１３  速度比算出部、１４  外部ポート、
１５  トランスポートストリームパケット、１６  ＰＣＲパケット、
１７  タイムスタンプ
【図１】
2008061150.tif 000004
【図２】
2008061150.tif 000005
【図３】
2008061150.tif 000006
【図４】
2008061150.tif 000007
【図５】
2008061150.tif 000008